(57)【要約】【課題】排水の瞬時排出量を多く、水勢を大きくして、汚物を含む汚水の排出性と洗浄性とを向上させることのできるターントラップ式水洗便器を提供する。【解決手段】便器本体９のボウル６の排水路４に接続してトラップケース３ａが設けられ、該トラップケース３ａ内に、上記排水路４に接続されて、駆動機構により上下回動されるトラップ部１ａが設けられたターントラップ式水洗便器において、上記トラップ部１ａは、ほぼ上向きの給水姿勢とほぼ横向きの排水姿勢との間で、上記トラップケース３ａの後壁部３１ａとトラップ部１ａの先端開口１１ａとの間には実質的に隙間がない状態で上下回動されるとともに、上記トラップケース３ａの排水管部３２は、壁排水式の竪排水管７に接続されてなるターントラップ式水洗便器。【選択図】図１
2008267002.tif 000002
【特許請求の範囲】
【請求項１】
便器本体のボウルの排水路に接続してトラップケースが設けられ、該トラップケース内に、上記排水路に接続されて、駆動機構により上下回動されるトラップ部が設けられたターントラップ式水洗便器において、上記トラップ部は、ほぼ上向きの給水姿勢とほぼ横向きの排水姿勢との間で、上記トラップケースの後壁部とトラップ部の先端開口との間には実質的に隙間がない状態で上下回動されるとともに、上記トラップケースの排水管部は、壁排水式の竪排水管に接続されてなるターントラップ式水洗便器。
【請求項２】
上記トラップ部が可撓性プラスチックスからなる請求項１に記載のターントラップ式水洗便器。
【請求項３】
上記駆動機構が電動モータとされるとともに、制御装置で上下回動を制御される請求項１に記載のターントラップ式水洗便器。
【発明の詳細な説明】
【技術分野】
【０００１】
本発明は、水洗便器に関する。さらに詳しくは、ターントラップ式水洗便器に関する。
【背景技術】
【０００２】
従来、住宅等のトイレに設置される水洗便器については、種々の構成と構造とを有するものが提供されており、例えば、ロータンクを備え、ロータンクから瞬時に水を放出して汚物の排出とボウルの洗浄とを行うものが知られている。このロータンク給水方式の水洗便器においては、ボウルよりも高い位置に設けたロータンク内の貯留水をボウル内に供給したときに、それが有する水頭圧により貯留水を、ボウルに接続された封水用のトラップ部を乗り越えさせ、汚物を排出する構造となっている。
【０００３】
しかしながら、ロータンク給水方式の水洗便器においては、汚物排出のために大きな水頭圧を必要とすることから、ロータンクの設置は必要不可欠であり、このため、狭いトイレ空間内でロータンクがその一部を占有することとなる。また、トイレ空間内には、便器以外にも、手洗い器等の付属品やトイレタリーグッズの収納装置も必要であり、ロータンクにスペースを割くことは余り好ましいとはいえない。
【０００４】
一方、マンション等集合住宅においては、設計上の見地から、トイレ内のスペースの問題のみならず、排水を下方に流す床排水方式を採用できない場合がある。この場合は、下記特許文献１に記載のように、壁側に排水口を設ける壁排水方式により、汚物を含む排水を壁外側に設けられた竪排水管に排出する方式が採られる。
【０００５】
すなわち、本願図３に示す縦断面図に示すように、便器本体９は床面に設置され、この便器本体９の上面には蓋体８が開閉自在に取り付けられている。また、壁Ｗには、上下方向に延在する竪排水管７が埋設され、この竪排水管７はマンション等では上層階と下層階で共用されている。
【０００６】
上記便器本体９内にはボウル６が設けられ、このボウル６の上部内周囲には、ボウル６に洗浄水を供給するためのリム５が形成されるとともに、このボウル６の下部には、上記竪排水管７の方に向けて排水路４が形成されている。また、上記便器本体９内には、排水路４に接続するトラップケース３が設けられ、このトラップケース３内には、上記排水路４に後端開口１３が接続された可撓性のトラップ部１が設けられている。このトラップ部１は、例えば、蛇腹状のホースで形成されて、後端開口１３側を支点として、先端開口１１がほぼ上向きの給水姿勢（実線で示す）とほぼ横向きの排水姿勢（二点鎖線で示す）との間で上下回動するようにされている。
【０００７】
上記トラップ部１の先端開口１１の外周には支持リング１２が嵌め込まれるとともに、上記トラップケース３の側壁で回動自在に支持した回動軸２のアーム２１を上記支持リング１２に連結して、回動軸２の回動で支持リング１２と先端開口１１とが上下回動するように構成されている。
【０００８】
上記回動軸２は電動モータＭで駆動されるとともに、上記ボウル６のリム５に洗浄水を供給する配管に電磁弁Ｖが設けられて、電動モータＭと電磁弁Ｖは、制御装置Ｃで制御される。すなわち、用便後にスイッチオンすると、電磁弁Ｖは開き、リム５からボウル６内に洗浄水が給水され、その後に電動モータＭが正回転してトラップ部１が排水するように下に回動される。また、スイッチオンから所定時間後にタイマが作動し、電動モータＭが逆回転してトラップ部１が給水状態となるように上に回動し、電磁弁Ｖが閉じてリム５からボウル６内への洗浄水の給水が停止される。
【０００９】
上記トラップケース３には、排水管部３２が設けられ、この排水管部３２は、上記竪排水管７に緩やかな下り勾配で接続されている。このように、壁排水型のターントラップ式水洗便器を下記特許文献１に記載のように構成すれば、トラップケース３の排水管部３２を竪排水管７に向けて緩やかな下り勾配で接続することにより、トラップ部１がほぼ横向きの排水姿勢に下に回動されたときでも、汚水をスムースに竪排水管７に排水できる効果があると記載されている。
【特許文献１】特開２００５−１５５１４６号公報（第１〜４頁、第１図、第２図）
【発明の開示】
【発明が解決しようとする課題】
【００１０】
しかしながら上記特許文献１に記載のターントラップ式水洗便器においては、本願図４に模式的に示すように、トラップ部１の先端開口１１と、トラップケース３の後壁部３１との間に隙間が形成されているため、瞬時に排出されるべき汚物を含む排水が、ダラダラとトラップケース３内に洩れるという問題がある。その結果、本願図５に模式的に示すように、洗浄水の持つ位置エネルギーがロスして排水管部３２に排出する勢いが悪くなり、洗浄効率が劣るという問題がある。
【００１１】
本発明は、このような問題を解決するためになされたものであり、排水の瞬時排出量を多く、水勢を大きくして、汚物を含む汚水の排出性と洗浄性とを向上させることのできるターントラップ式水洗便器を提供することを、その課題とする。
【課題を解決するための手段】
【００１２】
上記課題を解決するために、本発明においては、つぎのような技術的手段を講じている。すなわち、請求項１に記載の発明によれば、便器本体のボウルの排水路に接続してトラップケースが設けられ、該トラップケース内に、上記排水路に接続されて、駆動機構により上下回動されるトラップ部が設けられたターントラップ式水洗便器において、上記トラップ部は、ほぼ上向きの給水姿勢とほぼ横向きの排水姿勢との間で、上記トラップケースの後壁部とトラップ部の先端開口との間には実質的に隙間がない状態で上下回動されるとともに、上記トラップケースの排水管部は、壁排水式の竪排水管に接続されてなるターントラップ式水洗便器が提供される。
【００１３】
請求項２に記載のターントラップ式水洗便器は、請求項１に記載の発明に加えて、上記トラップ部が可撓性プラスチックスから構成される。可撓性プラスチックスとしては、塩化ビニル樹脂、ポリプロピレン、ポリエチレン等の合成樹脂を蛇腹状のホースに加工したものをあげることができる。
【００１４】
請求項３に記載のターントラップ式水洗便器は、請求項１に記載の発明に加えて、上記駆動機構が電動モータとされるとともに、制御装置で上下回動を制御される。この制御装置はスイッチ操作で上記トラップ部を排水姿勢にするとともに、リムからの給水を指令し、また、タイマ等を組み込むことにより一定時間経過後に、上記トラップ部を給水姿勢に戻し、給水を停止させる等の操作を制御する。
【発明の効果】
【００１５】
請求項１に記載の発明にかかるターントラップ式水洗便器は上記のとおりであり、便器本体のボウルの排水路に連設されるトラップケース内に設けられ、駆動機構により上下に回動されるトラップ部が、ほぼ上向きの給水姿勢とほぼ横向きの排水姿勢との間で、上記トラップケースの後壁部とトラップ部の先端開口との間には実質的に隙間がない状態で上下回動されるため、シールされた状態でトラップ部は下に回動し、トラップ部の先端開口とトラップケースの後壁部との隙間から排水が、ダラダラとトラップケース内に洩れることを防ぐことができる。
【００１６】
そして、洗浄水の持つ位置エネルギーが排水姿勢直前まで保たれるため、汚物を含む排水が排水姿勢で瞬時に排出され、排出量を多く、水勢を大きくして、上記排水を汚物と共に一挙に排水管部に押し流し、竪排水管に流し込むことができる。
【００１７】
請求項２に記載のターントラップ式水洗便器は上記のとおりであり、請求項１のターントラップ式水洗便器の有する効果に加え、上記トラップ部が可撓性プラスチックスからなるため、ホース等への成型が容易であり、かつ、耐久性のあるものとすることができる。
【００１８】
請求項３に記載のターントラップ式水洗便器は上記のとおりであり、請求項１のターントラップ式水洗便器の有する効果に加え、上記駆動機構が電動モータとされるとともに、制御装置で上下回動を制御されるため、タイマ等を組み込むことによりワンタッッチで用が済んだ後、排水を流し、また元の状態に戻すことができる。
【発明を実施するための最良の形態】
【００１９】
以下、本発明の実施形態について図面を参照して詳細に説明する。図１は、本発明にかかるターントラップ式水洗便器の要部を示す縦断面図である。図１において、トラップ部１ａは、トラップケース３ａの側壁で回動自在に支持した回動軸２を図外制御装置で制御することにより上下に回動される。すなわち、トラップ部１ａの先端開口１１ａの外周に嵌め込まれた支持リング１２ａにアーム２１を連結し、回動軸２の回動を支持リング１２ａに伝えて支持リング１２ａと先端開口１１ａとが上下に回動するように構成されている。
【００２０】
このとき、上向きの給水姿勢から横向きの排水姿勢に転じる直前の段階で、上記トラップケース３ａの後壁部３１ａとトラップ部１ａの先端開口１１ａとの間に実質的に隙間が生じないようにされている。したがって、シールされた状態でトラップ部１ａは下に回動し、本願図４に示すように、トラップ部１ａの先端開口１１ａと、トラップケース３ａの後壁部３１ａとの隙間から排水が、ダラダラとトラップケース３ａ内に洩れることを防ぐことができる。
【００２１】
図２は、上記のように構成した本発明にかかるターントラップ式水洗便器において、トラップ部１ａをほぼ横向きの排水姿勢にした状態を示す説明図である。上記したように、洗浄水の持つ位置エネルギーが図１に示す状態で保たれ、汚物を含む排水が排水姿勢で瞬時に排出されるため、排出量を多く、水勢を大きくして、上記排水を一挙に排水管部に押し流すことができる。
【００２２】
上記のように構成することにより、ターントラップ式水洗便器を用いても、ロータンク給水方式と同様な排水性と洗浄性を得ることが可能となり、さらにトイレ内でロータンクの占めるスペースを有効に利用することができるとともに、節水化、静音化も図ることができる。
【図面の簡単な説明】
【００２３】
【図１】本発明にかかるターントラップ式水洗便器の要部を示す縦断面図である。
【図２】上記ターントラップ式水洗便器において、トラップ部をほぼ横向きの排水姿勢にした状態を示す説明図である。
【図３】公知のターントラップ式水洗便器を示す縦断面図である。
【図４】公知のターントラップ式水洗便器の問題点を模式的に示す説明図である。
【図５】公知のターントラップ式水洗便器の問題点を模式的に示す説明図である。
【符号の説明】
【００２４】
１          公知のトラップ部
１ａ        本発明にかかるトラップ部
１１        公知の先端開口
１１ａ      本発明にかかる先端開口
１２        公知の支持リング
１２ａ      本発明にかかる支持リング
１３        公知の後端開口
１３ａ      本発明にかかる後端開口
２          回動軸
２１        アーム
３          公知のトラップケース
３ａ        本発明にかかるトラップケース
３１        公知の後壁部
３１ａ      本発明にかかる後壁部
３２        排水管部
４          排水路
５          リム
６          ボウル
７          竪排水管
８          蓋体
９          便器本体
Ｃ          制御装置
Ｍ          電動モータ
Ｖ          電磁弁
Ｗ          壁
【図１】
2008267002.tif 000003
【図２】
2008267002.tif 000004
【図３】
2008267002.tif 000005
【図４】
2008267002.tif 000006
【図５】
2008267002.tif 000007